(57)【要約】【課題】散逸することなく蓋部材を保管することができるフリーアクセスフロア用パネル装置の提供を目的とする。【解決手段】側縁に切欠状に開口部１を形成したフロアパネル２と、  装着片３と協働してフロアパネル２を挟み付ける閉塞板４を備え、該閉塞板４により前記開口部１を閉塞する蓋部材５とを有し、  前記フロアパネル２には、装着状態の蓋部材５を収容し、該蓋部材５の少なくともフロアパネル２上面および側縁からの突出を規制する蓋収容凹部６と、  開口部１の閉塞位置を外れて側縁部に装着した蓋部材５を収容し、該蓋部材５の少なくともフロアパネル２上面および側縁からの突出を規制する予備収容凹部７とが形成されるフリーアクセスフロア用パネル装置を提供する。【選択図】図２
2011214325.tif 000002
【特許請求の範囲】
【請求項１】
側縁に切欠状に開口部を形成したフロアパネルと、
装着片と協働してフロアパネルを挟み付ける閉塞板を備え、該閉塞板により前記開口部を閉塞する蓋部材とを有し、
前記フロアパネルには、装着状態の蓋部材を収容し、該蓋部材の少なくともフロアパネル上面および側縁からの突出を規制する蓋収容凹部と、
開口部の閉塞位置を外れて側縁部に装着した蓋部材を収容し、該蓋部材の少なくともフロアパネル上面および側縁からの突出を規制する予備収容凹部とが形成されるフリーアクセスフロア用パネル装置。
【請求項２】
前記蓋部材は略方形の薄板材をコ字状に折曲して形成される請求項１記載のフリーアクセスフロア用パネル装置。
【請求項３】
前記蓋部材には、蓋収容凹部に形成された被係止部に係止する係止突起が形成される請求項１または２記載のフリーアクセスフロア用パネル装置。
【請求項４】
前記予備収容凹部にはフロアパネル上面まで膨隆する凸部が形成され、
前記蓋部材は、装着片に形成された透孔内に前記凸部を受容して予備収容凹部に収容される請求項１ないし３のいずれかに記載のフリーアクセスフロア用パネル装置。
【請求項５】
前記蓋収容凹部は、収容する蓋部材のフロアパネル下面からの突出をも規制する請求項１ないし４のいずれかに記載のフリーアクセスフロア用パネル装置。
【請求項６】
略方形の薄板材をコ字状に折曲して形成され、フロアパネルを挟み付けて該フロアパネルの側縁部に装着される蓋部材。
【発明の詳細な説明】
【技術分野】
【０００１】
本発明はフリーアクセスフロア用パネル装置および蓋部材に関するものである。
【背景技術】
【０００２】
フロアパネルに蓋部材を着脱可能に装着したフリーアクセスフロア用パネル装置としては、従来、特許文献１に記載のものが知られている。この従来例において、蓋体は断面コ字状の薄板材により形成されて設備管理床パネルを挟み付け、該パネルの側縁に形成された切欠状の開口部を閉塞する。
【先行技術文献】
【特許文献】
【０００３】
【特許文献１】特開２０１０-１９０２４号公報
【発明の概要】
【発明が解決しようとする課題】
【０００４】
しかしながら、上述した従来例において、開口部を配線引き出し口等として利用する場合には蓋体を取り外す必要があるが、この場合には取り外し後の蓋体の収容スペースを別途用意しなければならない上に、蓋体を散逸してしまいやすくなるという欠点がある。
【０００５】
本発明は以上の欠点を解消すべくなされたものであって、散逸することなく蓋部材を保管することができるフリーアクセスフロア用パネル装置の提供を目的とする。また、本発明の他の目的は、フリーアクセスフロア用パネル装置で使用する蓋部材の提供にある。
【課題を解決するための手段】
【０００６】
本発明によれば上記目的は、
側縁に切欠状に開口部１を形成したフロアパネル２と、
装着片３と協働してフロアパネル２を挟み付ける閉塞板４を備え、該閉塞板４により前記開口部１を閉塞する蓋部材５とを有し、
前記フロアパネル２には、装着状態の蓋部材５を収容し、該蓋部材５の少なくともフロアパネル２上面および側縁からの突出を規制する蓋収容凹部６と、
開口部１の閉塞位置を外れて側縁部に装着した蓋部材５を収容し、該蓋部材５の少なくともフロアパネル２上面および側縁からの突出を規制する予備収容凹部７とが形成されるフリーアクセスフロア用パネル装置を提供することにより達成される。
【０００７】
フロアパネル２には切欠状の開口部１が配線引き出し口等として利用するために開設され、当該開口部１を配線引き出し口等として利用しない場合のために蓋部材５が用意される。蓋部材５は、開口部１を閉塞することができる程度の面積を備えた閉塞板４と、装着片３とを有しており、これら閉塞板４と装着片３とでフロアパネル２の開口部１が形成された側縁部を挟み付けて装着される。
【０００８】
収容凹部は、蓋部材５をフロアパネル２に装着した際に、蓋部材５がフロアパネル２上面よりも上方に飛び出すことによるフロアパネル２上面、すなわち床面への凹凸の発生や、蓋部材５がフロアパネル２側縁よりも側方に飛び出すことによる隣接フロアパネル２間での隙間の発生を防止するためのもので、フロアパネル２の上面や側縁を蓋部材５の板厚程度凹ますことにより形成される。予備収容凹部７は、フロアパネル２の開口部１が形成された側縁部、あるいは他の側縁部に形成され、開口部１を閉塞する位置から取り外した蓋部材５を収容し、収容凹部と同様にフロアパネル２の上面や側縁からの蓋部材５の出っ張りを防止する。
【０００９】
したがって本発明によれば、不要になった蓋部材５は予備収容凹部７によって同一のフロアパネル２に保持することができるために、その散逸を防止することができ、また、フロアパネル２への蓋部材５の装着、保持による床面への凹凸の発生なども防止することができる。
【００１０】
上述した蓋部材５は、予め工場においてフロアパネル２に装着しておいて施工現場に搬入することが可能で、これにより施工現場での作業効率を高めることができるが、この場合には運搬時の振動などによる脱落が心配される。このような脱落は、フロアパネル２に蓋部材５をねじ止めしたり、蓋部材５の挟み付け力を強く設定したりすることによっても防止することが可能であるが、蓋収容凹部６に形成された被係止部８に係止する係止突起９を蓋部材５に設ければ、フロアパネル２からの取り外しやすさをあまり損ねることがない。
【００１１】
また、同様に運搬や保管などする際には、フロアパネル２を積み重ねるなどすることで容積を抑えることができる。この場合、上述した蓋収容凹部６について、収容する蓋部材５のフロアパネル２下面からの突出をも規制するように形成すれば、フロアパネル２を隙間なく積み重ねるなどすることができる。
【００１２】
さらに、上述したようにフロアパネル２の開口部１を配線引き出し口等として利用する場合、予備収容凹部７には蓋部材５が収容され、蓋収容凹部６はコンセントなどで覆われてフロアパネル２上面に形成される凹部６、７は目立たなくなる。一方、フロアパネル２の開口部１を配線引き出し口等として利用しない場合には、蓋収容凹部６は蓋部材５の収容により目立たなくなるものの、予備収容凹部７はフロアパネル２表面に対する凹みとして残ってしまう。このような凹みは、出っ張りとは異なり、大きさが小さければ目立たず、歩行時にも実質的に感知できなくすることが可能で、例えば予備収容凹部７にフロアパネル２上面まで膨隆する凸部１０を設けることにより目立たなくすることができる。この場合、凸部１０により予備収容凹部７に閉塞板４が収容できなくなってしまうが、この閉塞板４と対をなしてフロアパネル２を挟持する装着片３に対し、凸部１０を受容する透孔１１を設け、予備収容凹部７に装着片３を収容させる、すなわち蓋部材５を上下反転させれば、蓋部材５のフロアパネル２表面や側縁からの突出を防止することができる。
【００１３】
また、上述した蓋部材５は、フロアパネル２を挟み付ける断面コ字形状を利用することにより、従来よりも飛躍的に耐荷重性能を高めることができる。すなわち、同様に断面コ字形状の蓋体を備える従来例においては、閉塞部と床パネル当接部とを連結部で連結して断面コ字状にされ、上面側から設備管理床パネルに装着できるようにするために、上記閉塞部が開口部周縁に形成された段差面部に周縁部を載置されるのに対し、連結部と床パネル当接部は、開口部に挿入できる程度の幅寸法にされる。このため、蓋体の開口部の直上に垂直荷重がかかると、連結部から幅方向に張り出す閉塞部の周縁部や、段差面部に荷重が集中してしまい、これらの曲げや破断が生じる荷重が耐荷重の限界となってしまう。
【００１４】
したがって従来例においては、耐荷重性能が低く、これを補うために閉塞部やフロアパネルが厚くなってしまったり、これらに強度の高い材料を使用しなければならないという欠点がある。
【００１５】
この点、蓋部材５を略方形の薄板材をコ字状に折曲して形成すれば、垂直荷重をコ字形状の各辺で分担して負担させることができ、これにより蓋部材５の耐荷重性能を飛躍的に高めることができ、また同時に、この蓋部材５を装着したフロアパネル２の耐荷重性能を飛躍的に高めることができる。
【発明の効果】
【００１６】
以上の説明から明らかなように、本発明によれば、散逸することなく蓋部材を保管することができるフリーアクセスフロア用パネル装置を提供することができ、配線引き出し口等の変更をスムーズにすることができる。
【００１７】
また、切欠状の開口部が形成されたフロアパネルや蓋部材の耐荷重性能を飛躍的に高めることができ、より安全な床を提供することができる。
【図面の簡単な説明】
【００１８】
【図１】本発明に係るフリーアクセスフロア用パネル装置を示す図で、（ａ）は斜視図、（ｂ）は（ａ）の１Ｂ-１Ｂ線断面図である。
【図２】開口部を開放する際の操作を示す図で、（ａ）は上面側からの斜視図、（ｂ）は下面側からの斜視図である。
【図３】フリーアクセスフロア用パネル装置の断面図で、（ａ）は図１（ａ）の３Ａ?３Ａ線断面図、（ｂ）は（ａ）に対応して開口部を開放した場合を示す図である。
【図４】フリーアクセスフロアの敷設状況を説明する斜視図である。
【図５】フリーアクセスフロア用パネル装置の変形例を示す図であり、（ａ）は第１の変形例を示す斜視図、（ｂ）は第２の変形例を示す図である。
【発明を実施するための最良の形態】
【００１９】
図１ないし図４に本発明の実施の形態を示す。フリーアクセスフロアは図４に示すように、床基部２０上にマトリクス状にパネル受け２１を配置して形成され、各パネル受け２１は、下端に設けられた設置基板２１ａを床基部２０に接着等して固定される。上記パネル受け２１の上端にはフロアパネル２を支持する受け皿部２１ｂが取り付けられ、平面視略正方形の各フロアパネル２の四隅部を衝合させ、この衝合隅部を受け皿部２１ｂで支承することにより、床基部２０上所定高さにフロアパネル２によって床面２２が形成される。また、上記受け皿部２１ｂにはパネル押さえ２１ｃが上方から装着され、衝合隅部がパネル押さえ２１ｃにより押さえ付けられてフロアパネル２のズレや浮き上がりが防止される。以上のようにして敷設されたフロアパネル２の上面にはタイルカーペット２３が敷かれる。
【００２０】
上記フロアパネル２は、図１ないし図３に示すように、それぞれ金属からなる平板状の上面板２ａと、皿状の裏面板２ｂとを周縁部において接合して形成され、中空部２ｃに図示省略した無機質材を充填して形成される。上面板２ａと裏面板２ｂとの接合は、裏面板２ｂの周縁部を呑み込むように上面板２ａの周縁部を折り返すとともに、中央部において散点状に上面板２ａと裏面板２ｂとをかしめ止めしてなされ、これによりフロアパネル２には、周縁部に鍔部２ｄが形成されるとともに、中央部に散点状にかしめ孔２ｅが形成される。また、このフロアパネル２の側縁には半円弧状の配線引き出し用の切欠２ｆが形成される。なお、この実施の形態においては、上述したように中空部２ｃに無機質材を充填した場合を示すが、フロアパネル２の使用状況に応じて無機質材を充填することなく中空構造によりフロアパネル２を構成することも可能である。
【００２１】
また、上記フロアパネル２は、一側縁の中央部に切欠状の開口部１を備え、この開口部１の周縁においてフロアパネル２の上面、下面、側縁がそれぞれ凹ませられて蓋収容凹部６が形成される。上述した開口部１は、図４に示すようにフリーアクセスフロアにコンセント２４などを設置するためのもので、コンセント２４の大きさの約半分の大きさに形成され、開口部１同士を向かい合わせるようにフロアパネル２の１組を配置してコンセント２４を設置することができるようにされる。また、蓋収容凹部６は、具体的には、上面板２ａを裏面板２ｂ側に凹ませて形成される表面側収容凹部６ａと、裏面板２ｂを表面板側に凹ませて形成される裏面側収容凹部６ｂと、上述した鍔部２ｄをフロアパネル２内方に凹ませて形成される側縁側収容凹部６ｃとで構成される。
【００２２】
この蓋収容凹部６は、後述する蓋部材５を構成する薄板材の厚さと同じ程度の深さを備え、その底面が蓋部材５の周縁部を支持するフランジ部として機能する。フロアパネル２の上下面に配置されるフランジ部には係止孔（被係止部８）が穿孔され、蓋部材５に形成された係止突起９を受容することにより、蓋部材５の脱落防止や位置決めとして機能する。
【００２３】
上述した蓋部材５は、図１ないし図３に示すように、金属からなる略方形の薄板材をコ字状に折り曲げて形成され、上述した開口部１を閉塞する閉塞板４と、この閉塞板４の対向位置に配置される装着片３と、これら閉塞板４と装着片３とを連結する連結部２５とを有する。閉塞板４と装着片３は、上述した表面側収容凹部６ａと裏面側収容凹部６ｂに収まる程度の広さに形成され、連結部２５は、上述した側縁側収容凹部６ｃと同じ程度の幅で、長さはフロアパネル２の厚さと同じ程度に形成される。また、閉塞板４と装着片３には、上述した係止突起９が対向位置で半球状に反対面側から押し出すようにして膨隆され、この係止突起９は、表面側収容凹部６ａ等に閉塞板４等を収容したときに上述した係止孔８に対応する位置に配置される。
【００２４】
したがって閉塞板４を上面側に向けて蓋部材５をフロアパネル２の蓋収容凹部６に押し込むと、先ず半球状の係止突起９がフランジ部に当接し、さらに押し込まれることにより蓋部材５が弾性変形して閉塞板４と装着片３が拡開される。このまま押し込み続けることにより係止突起９が係止孔８の位置に達すると、係止孔８内に係止突起９が受容され、これにより蓋部材５が弾性復帰して弾発的に蓋部材５が蓋収容凹部６内に収容される。この状態で閉塞板４、装着片３、連結部２５の外表面はそれぞれ、フロアパネル２の上面、下面、側縁と同一平面状に収まり、また、閉塞板４はフロアパネル２の開口部１を覆う。
【００２５】
この後、上述したパネル受け２１に支承させ、タイルカーペット２３を載せれば、フロアパネル２の上面と閉塞板４の外表面とでフロアパネル２は平滑になり、上述したようにフロアパネル２同士を並べても、連結部２５の外表面はフロアパネル２の側縁に並ぶため、隣接するフロアパネル２、２の辺縁同士が密着可能になる。また、蓋部材５の開口部１の直上位置に垂直荷重が付加された場合、閉塞板４には開口部１とフランジ部との境界部分に剪断方向に荷重が働くことになるが、この荷重は、閉塞板４のみならず、この閉塞板４に連続してフランジ部と開口部１に跨る連結部２５においても負担され、さらには、同様にフランジ部と開口部１に跨る装着片３においても連結部２５を介して負担される。したがって上述した荷重によって蓋部材５が容易に変形、破断してしまうことはなく、同様にフロアパネル２のフランジ部も容易に変形、破断してしまうことはない。
【００２６】
以上のフロアパネル２は、予め工場において蓋収容凹部６に蓋部材５を装着しておき、施工現場に搬入することで、現場での作業効率を向上させることができる。この場合、蓋部材５は係止突起９により強固にフロアパネル２に固定されるために運搬時の振動などによっても脱落しづらく、また、装着状態で蓋部材５はフロアパネル２の上面、下面、側縁から飛び出さないために、平積みなども容易にできる。
【００２７】
一方、施工現場において、上述したように開口部１にコンセント２４を設ける場合などには蓋部材５が蓋収容凹部６から取り外されるが、この蓋部材５を収納するために、フロアパネル２には予備収容凹部７が形成される。この実施の形態において、予備収容凹部７は、図１等に示すように、フロアパネル２において開口部１が形成される側縁と対向する側縁の中央部に配置される。この予備収容凹部７は、当該側縁に上述した蓋収容凹部６と同じ大きさで形成され、すなわち、表面側収容凹部６ａと同じ大きさの表面側予備収容凹部７ａ、裏面側収容凹部６ｂと同じ大きさの裏面側予備収容凹部７ｂ、側縁側収容凹部６ｃと同じ大きさの側縁側予備収容凹部７ｃとで構成される。また、表面側予備収容凹部７ａと裏面側予備収容凹部７ｂにはそれぞれ表面側収容凹部６ａ等と同様に係止孔８が穿孔される。
【００２８】
したがって蓋部材５を予備収容凹部７に収容すれば、蓋部材５を、該蓋部材５で開口部１が閉塞されていたフロアパネル２と対応付けて保管することができ、また、この状態でフロアパネル２は、上面、下面、側縁が平滑になり、上面に敷設されたタイルカーペット２３は平滑に保持され、隣接するフロアパネル２、２は辺縁同士が密着可能になる。
【００２９】
さらに、この実施の形態において、予備収容凹部７に蓋部材５を収容しないとき、すなわち開口部１を蓋部材５で閉塞するときに、予備収容凹部７がフロアパネル２の上面の平滑を乱さないようにするために、予備収容凹部７には凸部１０が形成され、上述した蓋部材５には透孔１１が形成される。
【００３０】
上記凸部１０は、表面側予備収容凹部７ａに浮島状に形成され、図１等に示すように、この実施の形態においては表面側予備収容凹部７ａの大きさと平滑さとを考慮し、散点状に設けられる。この凸部１０は、側壁が突出先端に向かうテーパ形状に形成される。一方、蓋部材５の装着片３には、図２に示すように、装着片３を表面側予備収容凹部７ａに収容したときに、上述した凸部１０を受容する透孔１１が散点状に開設される。
【００３１】
したがって、予備収容凹部７に蓋部材５を収容しないときには、フロアパネル２の上面に敷設されるタイルカーペット２３は凸部１０により散点状ではあるが支持され、予備収容凹部７による凹みが目立たなくされる。一方、予備収容凹部７に蓋部材５を収容するときには、図２に示すように、表面側予備収容凹部７ａに装着片３を収容させる、すなわち、上述した蓋部材５を蓋収容凹部６への収容姿勢に対して上下反転させることにより、蓋部材５のフロアパネル２上面からの突出が防止される。
【００３２】
図５（ａ）に本発明の第１の変形例を示す。なお、この変形例および後述する他の変形例において上述した実施の形態と同一の構成要素は、図中に同一の符号を付して説明を省略する。この変形例において、フロアパネル２に切欠状に形成される開口部１は、フロアパネル２の対向側縁にそれぞれ形成される。各開口部１の周縁部には蓋収容凹部６が形成され、予備収容凹部７は、開口部１が形成される辺縁に隣接する辺縁にそれぞれ形成される。したがってこの変形例においてはコンセント２４の設置数を増やすことができ、また、コンセント２４の配置の自由度を高めることができる。
【００３３】
図５（ｂ）に第２の変形例を示す。この変形例においてフロアパネル２は木質系のパーティクルボードなどとして形成される。蓋部材５はフロアパネル２の強度に応じて、より肉厚を薄くして形成され、したがって予備収容凹部７の深さが浅くされることで上述した凸部１０が省略される。
【００３４】
なお、上述した実施の形態や変形例において、蓋部材５は金属材料により形成する場合を示したが、例えば強度の高い合成樹脂材などにより形成することも可能である。また、予備収容凹部７に形成される凸部１０は、予備収容凹部７の大きさや、フロアパネル２上面に敷設するタイルカーペット２３の平滑具合に応じて、その大きさや形状、配置を変更することが可能である。
【符号の説明】
【００３５】
１  開口部
２  フロアパネル
３  装着片
４  閉塞板
５  蓋部材
６  蓋収容凹部
７  予備収容凹部
８  被係止部
９  係止突起
１０  凸部
１１  透孔
【図１】
2011214325.tif 000003
【図２】
2011214325.tif 000004
【図３】
2011214325.tif 000005
【図４】
2011214325.tif 000006
【図５】
2011214325.tif 000007